(57)【要約】  本開示は、移動端末、基地局、移動端末によるデータ送信／受信の方法、および基地局によるデータ受信／送信の方法に関する。移動端末は、回路を備え、この回路は、参照信号を搬送するための、複数の符号分割多重（ＣＤＭ）グループにグループ分けされている各リソースをポートに割り当てるコンフィギュレーションを定義するパラメータを受信し、データの送信および／または受信のための少なくとも１つのＣＤＭグループのポートに参照信号を配置するために適用される、レイヤ／ポートのマッピングの組み合わせのセットの１つを示す制御情報を受信する。この制御情報は、同じデータ送信および／または受信のための複数のＣＤＭグループのうちの少なくとも１つのＣＤＭグループおよび／または少なくとも１つの別のＣＤＭグループに対する協調スケジューリング情報を示す。【選択図】図３
2020536438.tif 000002
【特許請求の範囲】
【請求項１】
移動端末（２１０）であって、
回路（２２０、２３０）と、前記回路（２２０、２３０）は、
参照信号を搬送するための各リソースをポートに割り当てるコンフィギュレーションを定義するパラメータを受信し、前記各リソースは、複数の符号分割多重（ＣＤＭ）グループにグループ分けされている、
データの送信および／または受信のための少なくとも１つのＣＤＭグループのポートに参照信号を配置するために適用される、レイヤ／ポートのマッピングの組み合わせのセットの１つを示す制御情報を受信する、
前記制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を示す、
前記協調スケジューリング情報に基づいて、複数のアンテナを使用して、レイヤ内でデータの送信および／または受信を行うトランシーバ（２２０）と、
を備える、移動端末。
【請求項２】
前記制御情報は、前記複数のＣＤＭグループの全部またはサブセットに対する協調スケジューリング情報を示す、
請求項１に記載の移動端末。
【請求項３】
前記協調スケジューリング情報は、
基地局が、前記少なくとも１つおよび／または別のＣＤＭグループ内の、異なる移動端末を協調スケジューリングしていることを示す、
基地局が、前記少なくとも１つおよび／または別のＣＤＭグループ内の、少なくともいくつかの異なる移動端末を協調スケジューリングしていることを示す、ならびに
前記複数のＣＤＭグループのそれぞれにおける協調スケジューリングの有無を示すバイナリ情報である、
もののうちの少なくとも１つである、
請求項１または２に記載の移動端末。
【請求項４】
前記複数のＣＤＭグループには、連続したインデックスが付けられ、かつ前記複数のＣＤＭグループのそれぞれのポートには、連続したインデックスが、前記ポートのインデックスが前記複数のＣＤＭグループのインデックスと共に増加するように、付けられている、
請求項１〜３のいずれか一項に記載の移動端末。
【請求項５】
前記協調スケジューリング情報は、前記複数のＣＤＭグループのうちの、前記少なくとも１つのＣＤＭグループのインデックス以上のインデックスを有するＣＤＭグループに対する協調スケジューリングを示す、
請求項１〜４のいずれか一項に記載の移動端末。
【請求項６】
前記参照信号を配置するための前記制御情報に示された前記ポートの最小インデックスよりも小さいインデックスを有するＣＤＭグループのポートに割り当てられたリソースが、基地局によって協調スケジューリングされる、
請求項１〜５のいずれか一項に記載の移動端末。
【請求項７】
前記マッピングは、前記レイヤ／ポートのマッピングの組み合わせと、前記協調スケジューリング情報と、にインデックスを付けることを意味する、
請求項１〜６のいずれか一項に記載の移動端末。
【請求項８】
前記ポートに割り当てられる前記リソースは、２つのリソース要素コンフィギュレーションを含み、
第１のリソース要素コンフィギュレーションは、コム、および参照信号のサイクリックシフトを含み、前記コムは、奇数のサブキャリアインデックスを有するサブキャリア、または偶数のサブキャリアインデックスを有するサブキャリア、のどちらかで構成され、
第２のリソース要素コンフィギュレーションは、周波数分割多重および周波数分割直交カバーコード（ＯＣＣ）を含み、
前記回路は、基地局から、前記第１のリソース要素コンフィギュレーションが使用されているかまたは前記第２のリソース要素コンフィギュレーションが使用されているかを示すインジケータをさらに受信する、
請求項１〜７のいずれか一項に記載の移動端末。
【請求項９】
参照信号を搬送するための各リソースをポートに割り当てるコンフィギュレーションを定義する前記パラメータは、無線リソース制御（ＲＲＣ）プロトコルを介して受信され、および／または、
レイヤ／ポートのマッピングの組み合わせのセットの１つを示すとともに前記協調スケジューリング情報を示す前記制御情報は、物理的ダウンリンク制御チャネル（ＰＤＣＣＨ）を介して受信される、
請求項１〜８のいずれか一項に記載の移動端末。
【請求項１０】
前記参照信号は、前方復調用参照信号である、
請求項１〜９のいずれか一項に記載の移動端末。
【請求項１１】
前記トランシーバ（２２０）は、前記示されたレイヤ／ポートのマッピングの組み合わせを適用して前記データ送信および／または受信を行う、
および／または、
前記受信された参照信号に対する干渉補償、および／または、前記データ送信および／または受信のためのレートマッチング、を行うプロセッサ（２３０）を備える、
請求項１〜１０のいずれか一項に記載の移動端末。
【請求項１２】
移動端末（２１０）によって実行される方法であって、
参照信号を搬送するための各リソースをポートに割り当てるコンフィギュレーションを定義するパラメータを受信するステップと、前記各リソースは、複数の符号分割多重（ＣＤＭ）グループにグループ分けされている、
データの送信および／または受信のための少なくとも１つのＣＤＭグループのポートに参照信号を配置するために適用される、レイヤ／ポートのマッピングの組み合わせのセットの１つを示す制御情報を受信するステップと、
前記制御情報は、同じデータの送信および／または受信のための複数のＣＤＭグループのうちの前記少なくとも１つのＣＤＭグループおよび／または少なくとも１つの別のＣＤＭグループに対する協調スケジューリング情報を追加的に示す、
前記協調スケジューリング情報に基づいて、複数のアンテナを使用して、レイヤ内でデータの送信および／または受信を行うステップと、
を含む、方法。
【請求項１３】
前記制御情報は、前記複数のＣＤＭグループの全部またはサブセットに対する協調スケジューリング情報を示す、
請求項１２に記載の方法。
【請求項１４】
基地局（２６０）であって、
回路（２７０、２８０）と、前記回路（２７０、２８０）は、
参照信号を搬送するための各リソースをポートに割り当てるコンフィギュレーションを定義するパラメータを送信し、前記各リソースは、複数の符号分割多重（ＣＤＭ）グループにグループ分けされている、
データの送信および／または受信のための少なくとも１つのＣＤＭグループのポートに参照信号を配置するために適用される、レイヤ／ポートのマッピングの組み合わせのセットの１つを示す制御情報を送信する、
前記制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を示す、
前記協調スケジューリング情報に基づいて、複数のアンテナを使用して、レイヤ内でデータの送信および／または受信を行うトランシーバと、
を備える、基地局。
【請求項１５】
基地局（２６０）によって実行される方法であって、
参照信号を搬送するための各リソースをポートに割り当てるコンフィギュレーションを定義するパラメータを移動端末に送信するステップと、前記各リソースは、複数の符号分割多重（ＣＤＭ）グループにグループ分けされている、
データの送信および／または受信のための少なくとも１つのＣＤＭグループのポートに参照信号を配置するために適用される、レイヤ／ポートのマッピングの組み合わせのセットの１つを示す制御情報を送信するステップと、
前記制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を示す、
前記協調スケジューリング情報に基づいて、複数のアンテナを使用して、レイヤ内でデータの送信および／または受信を行うステップと、
を含む、方法。
【発明の詳細な説明】
【技術分野】
【０００１】
本開示は、通信システムのリソースでのデータおよび／または参照信号の送信および受信に関する。
【背景技術】
【０００２】
現在、第３世代パートナーシッププロジェクト（３ＧＰＰ）では、第５世代（５Ｇ）とも呼ばれる次世代セルラー技術の技術仕様の公開（Ｒｅｌｅａｓｅ１５）に向けての作業をしている。３ＧＰＰ技術仕様化グループ（ＴＳＧ）無線アクセスネットワーク（ＲＡＮ）会議Ｎｏ．７１（グーテンベルク、２０１６年３月）では、ＲＡＮ１、ＲＡＮ２、ＲＡＮ３およびＲＡＮ４を含む最初の５Ｇ検討項目“Ｓｔｕｄｙ  ｏｎ  Ｎｅｗ  Ｒａｄｉｏ  Ａｃｃｅｓｓ  Ｔｅｃｈｎｏｌｏｇｙ”が承認され、最初の５Ｇ規格を規定するＲｅｌｅａｓｅ１５作業項目になることが予想されている。
【０００３】
５Ｇ  ＮＲの１つの目的は、拡張モバイルブロードバンド（ｅＭＢＢ）、超高信頼度低レイテンシ通信（ＵＲＬＬＣ）、大規模マシン型通信（ｍＭＴＣ）を少なくとも含む、非特許文献１（www.3gpp.orgで入手可能）に定義されているすべての使用シナリオ、要求事項および配備シナリオに対処する単独の技術フレームワークを提供することである。
【０００４】
たとえば、ｅＭＢＢ配備シナリオは、屋内ホットスポット、密集都市、地方、都市マクロおよび高速を含むことができ、ＵＲＬＬＣ配備シナリオは、工業用制御システム、モバイル健康管理（遠隔監視、診断および治療）、車両のリアルタイム制御、広域監視、およびスマートグリッドの制御システムを含むことができ、ｍＭＴＣは、スマートウェアラブルおよびセンサネットワークなどの非時間クリティカルデータ転送に関して多数のデバイスを用いるシナリオを含むことができる。
【０００５】
別の目的は後方互換性を実現することである。Ｌｏｎｇ  Ｔｅｒｍ  Ｅｖｏｌｕｔｉｏｎ（ＬＴＥ）との後方互換性は必要とされず、これにより、完全に新しいシステム設計および／または新規の特徴を導入することが容易になる。
【０００６】
ＮＲ作業項目に関する技術報告書の１つ（非特許文献２）に要約されているように、基本物理レイヤ信号波形は直交周波数分割多重化（ＯＦＤＭ）に基づくことになる。ダウンリンクとアップリンクの両方について、サイクリックプレフィックスを用いたＯＦＤＭ（ＣＰ−ＯＦＤＭ）をベースとする波形がサポートされている。少なくともｅＭＢＢアップリンクに対して４０ＧＨｚまでＣＰ−ＯＦＤＭと相補的である、離散的フーリエ変換（ＤＦＴ）拡散ＯＦＤＭ（ＤＦＴ−Ｓ−ＯＦＤＭ）をベースとする波形もまたサポートされている。
【０００７】
ＮＲの設計目標の１つは、ダウンリンク、アップリンク、およびサイドリンクに対して可能な限り共通の波形を探し求めることである。ＤＦＴ拡散を導入することは、アップリンク送信では場合によって必要がないことがあると考えられてきた。用語の「ダウンリンク」とは、高いノードから低いノードへの（たとえば、基地局から中継ノードもしくはＵＥへの、または中継ノードからＵＥなどへの）通信を指す。用語の「アップリンク」とは、低いノードから高いノードへの（たとえば、ＵＥから中継ノードもしくは基地局への、または中継ノードから基地局などへの）通信を指す。用語の「サイドリンク」とは、同じレベルのノード間（たとえば、２つのＵＥ間、または２つの中継ノード間、または２つの基地局間）の通信を指す。
【０００８】
用語の空間レイヤ（またはレイヤ）とは、空間多重化によって生成された異なるストリームのうちの１つを指す。１つのレイヤは、送信アンテナポートへのシンボルのマッピングとして記述することができる。各レイヤは、送信アンテナポートの数に等しいサイズのプリコーディングベクトルによって識別され、１つの放射パターンと関連付けることができる。送信のランクとは、送信されるレイヤの数のことである。コードワードとは、別個に符号化されたデータブロックのことであり、送信機の媒体アクセス制御（MAC：Medium Access Control）レイヤから物理レイヤへ送出され巡回冗長検査（ＣＲＣ）によって保護されている、単一のトランスポートブロック（ＴＢ）に対応する。
【０００９】
一般に、１つのレイヤが、ＬＴＥのサブフレームに相当する送信時間（ＴＴＩ）間隔ごとに割り当てられる。しかし、３ＧＰＰ  ＮＲでは、ＵＲＬＬＣまたはｅＭＢＢによって異なるＴＴＩがあり得る。特にＮＲでは、ＴＴＩがスロット、ミニスロット、またはサブフレームであり得る。レイヤ、ランク、およびコードワードについては、非特許文献３も参照されたい。
【００１０】
従来、参照信号パターン（ＲＳ）が、基地局のアンテナポート（またはポート）から送信されている。ポートは、単一の物理的送信アンテナとして、または複数の物理的アンテナ素子の組み合わせとして送信することができる。どちらの場合も、各アンテナポートから送信される信号は、ＵＥ受信機によってさらに分解されるようには設計されていない。すなわち、所与のアンテナポートに対応する送信ＲＳは、ＵＥの視点からアンテナポートを規定し、ＵＥを使用可能にして、そのアンテナポートで送信されるすべてのデータのチャネル推定値を、そのチャネル推定値が１つの物理的アンテナからの単一の無線チャネルを表すのか、それともそのアンテナポートを一緒に含む複数の物理的アンテナ素子からの複合チャネルを表すのかにかかわらず、得る。ポートについては、非特許文献４も参照されたい。
【００１１】
ＬＴＥでは、ＵＥのデータ送受信は、物理的ダウンリンク制御チャネル（ＰＤＣＣＨ）を用いてｅＮＢによってスケジューリングされ、このＰＤＣＣＨは、ダウンリンク制御情報（ＤＣＩ）と呼ばれる、ＵＥまたはＵＥのグループに対するリソース割り当ておよび他の制御情報を含むメッセージを搬送する。一般に、いくつかのＰＤＣＣＨをサブフレームで送信することができる。
【００１２】
制御チャネルメッセージの要求されるコンテンツは、システム配置およびＵＥ構成によって決まる。たとえば、インフラストラクチャがＭＩＭＯをサポートしていない場合、またはＭＩＭＯを含まない送信モードでＵＥが構成されている場合には、ＭＩＭＯ送信にだけ必要とされるパラメータを知らせる必要がない。したがって、シグナリングオーバヘッドを最小限にするためには、特定のシナリオに必要な最小限のペイロードをそれぞれが含む、いくつかの異なるメッセージフォーマットを利用できることが望ましい。一方で、実施および試験が複雑になりすぎないようにするためには、指定するフォーマットが多すぎないことが望ましい。ＬＴＥで指定されているＤＣＩメッセージフォーマットのセットが以下に列挙されている。
【００１３】
上記の技術標準または非特許文献５を参照されたい。
【００１４】
−  フォーマット０：ＤＣＩフォーマット０は、ＰＵＳＣＨのリソースグラントの送信用に使用され、アップリンク送信モード１または２で単一アンテナポート送信を使用する。
【００１５】
−  フォーマット１：ＤＣＩフォーマット１は、単一コードワードＰＤＳＣＨ送信に対するリソース割り当ての送信に使用される（ダウンリンク送信モード１、２および７）。
【００１６】
−  フォーマット１Ａ：ＤＣＩフォーマット１Ａは、単一コードワードＰＤＳＣＨ送信に対するリソース割り当てのコンパクトシグナリングのために、ならびに無競合ランダムアクセスのために専用プリアンブルシグネチャを移動端末に割り当てるために、使用される（全送信モードに対し）。
【００１７】
−  フォーマット１Ｂ：ＤＣＩフォーマット１Ｂは、ランク１送信と共に閉ループプリコーディングを使用するＰＤＳＣＨ送信に対するリソース割り当てのコンパクトシグナリングのために使用される（ダウンリンク送信モード６）。送信される情報はフォーマット１Ａにおけるのと同じであるが、ＰＤＳＣＨ送信に適用されるプリコーディングベクトルのインジケータが追加される。
【００１８】
−  フォーマット１Ｃ：ＤＣＩフォーマット１Ｃは、ＰＤＳＣＨ割り当ての非常にコンパクトな送信用に使用される。フォーマット１Ｃが使用される場合、ＰＤＳＣＨ送信は、ＱＰＳＫ変調を使用することが強いられる。フォーマット１Ｃは、たとえば、呼び出しメッセージおよびブロードキャストシステム情報メッセージを知らせるために使用される。
【００１９】
−  フォーマット１Ｄ：ＤＣＩフォーマット１Ｄは、マルチユーザＭＩＭＯを使用するＰＤＳＣＨ送信に対するリソース割り当てのコンパクトシグナリング用に使用される。送信される情報はフォーマット１Ｂにおけるのと同じであるが、プリコーディングベクトルインジケータのビットの１つの代わりに、電力オフセットがデータシンボルに適用されているかどうかを示す単一のビットがある。この機能は、送信電力が２つのＵＥの間で共有されているかどうかを示すために必要とされる。ＬＴＥの今後のバージョンは、この機能を多数のＵＥ間の電力共有の場合にまで拡張し得る。
【００２０】
−  フォーマット２：ＤＣＩフォーマット２は、閉ループＭＩＭＯ動作のためのＰＤＳＣＨに対するリソース割り当ての送信に使用される（送信モード４）。
【００２１】
−  フォーマット２Ａ：ＤＣＩフォーマット２Ａは、開ループＭＩＭＯ動作のためのＰＤＳＣＨに対するリソース割り当ての送信に使用される。送信される情報は、ｅＮｏｄｅＢ（ＬＴＥの基地局の名称）が２つの送信アンテナポートを有する場合に、プリコーディング情報がないこと、および送信ランクを示すために４つのアンテナポートに対して２つのビットが使用されることを除いて、フォーマット２と同じである（送信モード３）。
【００２２】
−  フォーマット２Ｂ：Ｒｅｌｅａｓｅ  ９で導入され、デュアルレイヤビーム形成のためのＰＤＳＣＨに対するリソース割り当ての送信に使用される（送信モード８）。
【００２３】
−  フォーマット２Ｃ：Ｒｅｌｅａｓｅ  １０で導入され、８レイヤまで用いた閉ループ単一ユーザまたはマルチユーザＭＩＭＯ動作のためのＰＤＳＣＨに対するリソース割り当ての送信に使用される（送信モード９）。
【００２４】
−  フォーマット２Ｄ：Ｒｅｌｅａｓｅ  １１で導入され、８レイヤ送信まで使用され、主としてＣＯＭＰ（Ｃｏｏｐｅｒａｔｉｖｅ  Ｍｕｌｔｉｐｏｉｎｔ）用に使用される（送信モード１０）。
【００２５】
−  フォーマット３および３Ａ：ＤＣＩフォーマット３および３Ａは、２ビットまたは１ビット電力調整をそれぞれ用いたＰＵＣＣＨおよびＰＵＳＣＨに対する電力制御コマンドの送信用に使用される。これらのＤＣＩフォーマットは、ＵＥのグループに対する個々の電力制御コマンドを含む。
【００２６】
−  フォーマット４：ＤＣＩフォーマット４は、ＰＵＳＣＨのスケジューリング用に使用され、アップリンク送信モード２で閉ループ空間多重化送信を使用する。
【００２７】
サーチスペースは、ＵＥがそのＰＤＣＣＨを見つけることができるＣＣＥ位置のセットを示す。各ＰＤＣＣＨは、１つのＤＣＩを搬送し、ＤＣＩのＣＲＣアタッチメントに非明示的に符号化されたＲＮＴＩ（無線ネットワーク一時識別子）によって識別される。ＵＥは、ブラインド復号およびＣＲＣ検査によって、構成されたサーチスペースのＣＣＥを監視する。サーチスペースは、共通サーチスペースおよびＵＥ固有サーチスペースとすることができる。ＵＥは、重なり合っていることがある共通サーチスペースとＵＥ固有サーチスペースの両方を監視する必要がある。共通サーチスペースは、システム情報（ＳＩ−ＲＮＴＩを使用する）、呼び出し（Ｐ−ＲＮＴＩ）、ＰＲＡＣＨ応答（ＲＡ−ＲＮＴＩ）、またはＵＬ  ＴＰＣコマンド（ＴＰＣ−ＰＵＣＣＨ／ＰＵＳＣＨ−ＲＮＴＩ）などの、すべてのＵＥに共通であるＤＣＩを搬送する。ＵＥ固有サーチスペースは、ＵＥの割り当てＣ−ＲＮＴＩ、セミパーシステントスケジューリング（ＳＰＳ  Ｃ−ＲＮＴＩ）、または初期割り当て（一時Ｃ−ＲＮＴＩ）を使用して、ＵＥ固有の割り当てについてのＤＣＩを搬送することができる。
【００２８】
ＤＣＩは、このようにして、送受信構成を含むデータをＵＥが受信または送信するためのリソースを指定する。
【先行技術文献】
【非特許文献】
【００２９】
【非特許文献１】3GPP TSG RAN TR 38.913 v14.1.0, “Study on Scenarios and Requirements for Next Generation Access Technologies”, Dec. 2016
【非特許文献２】3GPP TSG TR 38.801 v2.0.0, “Study on New Radio Access Technology; Radio Access Architecture and Interfaces”, March 2017
【非特許文献３】section 11.2.2.2 of S. Sesia, I. Toufik and M, Baker, LTE: The UMTS Long Term Evolution, Second Edition
【非特許文献４】section 8.2 of S. Sesia, I. Toufik and M, Baker, LTE: The UMTS Long Term Evolution, Second Edition
【非特許文献５】LTE - The UMTS Long Term Evolution - From Theory to Practice, Edited by Stefanie Sesia, Issam Toufik, Matthew Baker, Chapter 9.3.5
【非特許文献６】3GPP TSG RAN Meeting #75, RP-171485 by NTT DoCoMo, “Revised WID on New Radio Access[] Technology”, June 5-8, 2017
【非特許文献７】RAN1 NR#3 (RAN1 Chairman Notes: RAN1 NR Ad-Hoc#3)
【非特許文献８】section 29.1.1 of S. Sesia, I. Toufik and M, Baker, LTE: The UMTS Long Term Evolution, Second Edition
【非特許文献９】3GPP TS 36.212, V14.3.0 (Table 5.3.3.1.5C-2)
【発明の概要】
【００３０】
１つの非限定的および例示的な実施形態では、複数のアンテナを使用してレイヤ内でデータが送信および／または受信される移動通信システムにおいて、協調スケジューリング情報のシグナリング（非透過ＭＵ−ＭＩＭＯ）を符号分割多重（ＣＤＭ）グループそれぞれについて助長する。より詳細には、本開示は、より効率的かつ効果的なシグナリング機構を助長するために協調スケジューリング情報と組み合わされる、レイヤとポートのマッピング組み合わせのセットを提案する。
【００３１】
一実施形態では、本明細書に開示された技法は、移動端末であって、参照信号を搬送するための、複数の符号分割多重（ＣＤＭ）グループにグループ分けされている各リソースをポートに割り当てるコンフィギュレーションを定義するパラメータを受信し、データの送信および／または受信のための少なくとも１つのＣＤＭグループのポートに参照信号を配置するために適用される、レイヤ／ポートのマッピングの組み合わせのセットの１つを示す制御情報を受信する回路であって、前記制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を示す、回路と、前記協調スケジューリング情報に基づいて、複数のアンテナを使用して、レイヤ内でデータの送信および／または受信を行うトランシーバと、を備える、移動端末を特徴とする。
【００３２】
一般的または具体的な実施形態は、システム、方法、集積回路、コンピュータプログラム、記憶媒体、またはこれらのいずれかの選択的な組み合わせとして実現できることに留意されたい。
【００３３】
開示された実施形態のさらなる利益および利点は、本明細書および図面から明らかになろう。これらの利益および／または利点は、本明細書および図面の様々な実施形態および特徴によって個々に得ることができるが、これらの実施形態および特徴は、そのような利益および／または利点の１つ以上を得るためにすべてが必要というわけではない。
【図面の簡単な説明】
【００３４】
【図１−１】図１Ａおよび図１Ｂは、前方（front loaded）復調用参照信号（ＤＭＲＳ）のコンフィギュレーションタイプの概略図である。
【図１−２】図１Ｃおよび図１Ｄは、前方復調用参照信号（ＤＭＲＳ）のコンフィギュレーションタイプの概略図である。
【図２】移動端末および基地局の構成を示すブロック図である。
【図３】ＤＭＲＳコンフィギュレーションタイプ１および１シンボルＤＭＲＳコンフィギュレーションのための、各ＣＤＭグループに対する、協調スケジューリング情報と組み合わされた、レイヤ／ポートのマッピングの組み合わせの例示的なセットを示す図である。
【図４】ＤＭＲＳコンフィギュレーションタイプ１および２シンボルＤＭＲＳコンフィギュレーションのための、各ＣＤＭグループに対する、協調スケジューリング情報と組み合わされた、レイヤ／ポートのマッピングの組み合わせの例示的なセットを示す図である。
【図５】ＤＭＲＳコンフィギュレーションタイプ２の場合および１シンボルＤＭＲＳのための、各ＣＤＭグループに対する、協調スケジューリング情報と組み合わされた、レイヤ／ポートのマッピングの組み合わせの例示的なセットを示す図である。
【図６Ａ】ＤＭＲＳコンフィギュレーションタイプ２の場合および２シンボルＤＭＲＳのための、各ＣＤＭグループに対する、協調スケジューリング情報と組み合わされた、レイヤ／ポートのマッピング組み合わせの例示的なセットを示す図である。
【図６Ｂ】ＤＭＲＳコンフィギュレーションタイプ２の場合および２シンボルＤＭＲＳのための、各ＣＤＭグループに対する、協調スケジューリング情報と組み合わされた、レイヤ／ポートのマッピング組み合わせの例示的なセットを示す図である。
【発明を実施するための形態】
【００３５】
第３世代パートナーシッププロジェクト新無線（３ＧＰＰ  ＮＲ）では、広範囲の要件およびユースケースに適合するように参照信号が再設計されている。チャネル推定の目的で使用される復調用参照信号（ＤＭＲＳ）もまた、サイクリックプレフィックス直交周波数分割多重化（ＣＰ−ＯＦＤＭ）波形を用いたアップリンクとダウンリンク両方で均一な構造を有するように設計されている。本開示は、非透過マルチユーザ多入力多出力（ＭＵ−ＭＩＭＯ）をサポートするためのシグナリング態様に関する。前方ＤＭＲＳの（直交ＤＭＲＳポートの多重化方式が異なる）２つのコンフィギュレーションがサポートされることになり、それぞれのコンフィギュレーションに１シンボルまたは２シンボルＤＭＲＳを使用する適応性がある。
【００３６】
現在のＬＴＥでは、直交ＤＭＲＳポートについては多重化方式の単一のカテゴリによる固定コンフィギュレーションがあり、非透過ＭＵ−ＭＩＭＯに対してはサポートがない。
【００３７】
しかし、３ＧＰＰ  ＮＲでは、他のＵＥに対する協調スケジューリングされたＤＭＲＳポートからの干渉が多くなる可能性により、状況がより複雑である。加えて、異なるＤＭＲＳポート間の周波数分割多重化（ＦＤＭ）により、レートマッチングが必要である。このことにより、ＮＲではＵＥ非透過ＭＵ−ＭＩＭＯをサポートすることが期待される。本開示では、ＤＭＲＳレイヤとポートのマッピングテーブルに新しいフィールドを追加することによって、ＭＵ−ＭＩＭＯにおける同一および／または異なるＣＤＭグループ内の協調スケジューリングされたＤＭＲＳポートについての少なくともいくつかの情報を示すためのフレームワークを提供する。
【００３８】
本開示は、ＮＲ技術に関する。ＮＲアクセス技術については、非特許文献６を参照されたい。より詳細には、ＮＲアクセス技術は、ＣＰ−ＯＦＤＭ波形を用いたダウンリンクとアップリンク両方の前方ＤＭＲＳの態様を扱う。非特許文献７では、ＤＭＲＳが取り込まれ、これにより、協調スケジューリングされたＤＭＲＳポートに関連する少なくともいくつかの情報をシグナリングするためのフレームワークが、ＤＭＲＳレイヤとポートのマッピングテーブルを使用することによって得られる。
【００３９】
上記のように、３ＧＰＰ  ＮＲでは、復調用参照信号（ＤＭＲＳ）がダウンリンクとアップリンクの両方について再設計されている。
【００４０】
図１Ａ〜１Ｄに示されている２つのコンフィギュレーションが、ＣＰ−ＯＦＤＭ波形を用いるダウンリンクおよびアップリンクでの前方ＤＭＲＳのためにサポートされる。
【００４１】
図示のように、前方参照信号は、１シンボルＤＭＲＳが使用される場合には、ＴＴＩのシグナリングセクション（たとえば、２つのシンボルから成るシグナリングセクション）のリソースに隣接する最初のデータシンボルのリソースに割り当てられ、２シンボルＤＭＲＳが使用される場合には、最初の２つのデータシンボルのリソースに割り当てられる。
【００４２】
図１Ａおよび図１Ｂはそれぞれ、１４個のシンボルおよび１２個のサブキャリアからなるスロットに対応する例示的なリソースグリッドを示す。それぞれの図の左側にある最初の２つのシンボルは、スロットのシグナリングセクションに対応する。物理的ダウンリンク制御チャネル（ＰＤＣＣＨ）は、シグナリングセクションで知らされる。ＬＴＥでは、この例示的なリソースグリッドは、サブフレームの２つのスロットのうちの１つに対応することになる。しかし、このことは本開示を限定するものではない。その理由は、サブフレームが（単一の）スロットに対応してもよく、あるいは３つ以上のスロットを含んでもよく、またスロットが有するシンボルが１４個より多くても少なくても、サブキャリアが１２個より多くても少なくてもよいからである。
【００４３】
コンフィギュレーションタイプ１に対応する第１の前方ＤＭＲＳコンフィギュレーションが、図１Ａおよび図１Ｂに示されている。このコンフィギュレーションは、単一ユーザ多入力多出力（ＳＵ−ＭＩＭＯ）またはマルチユーザ多入力多出力（ＭＵ−ＭＩＭＯ）に対し８つまでの直交ＤＭＲＳポートをサポートすることを目的とする。第１のコンフィギュレーションでは、図１Ａに示されるように、１シンボルＤＭＲＳが使用される場合に４つまでの直交ＤＭＲＳポートをサポートする。特に、２つのコムと２つのサイクリックシフト（ＣＳ）を組み合わせて４つまでの構成要素セット（component set）を形成することができ、それぞれの得られた構成要素セットは、４つまでのＤＭＲＳポートにそれぞれ割り当てることができる。これらの構成要素セットは、本開示のコンテキストではＣＤＭグループとしても表される。
【００４４】
図１Ｂに示されるように、２シンボルＤＭＲＳが使用される場合には、２つのコムおよび２つのサイクリックシフトを２つの時間分割直交カバーコード（ＴＤ−ＯＣＣ）と、特にウォルシュ・アダマールＴＤ−ＯＣＣと組み合わせることができ（｛１，１｝および｛１，−１｝）、８つまでの直交ＤＭＲＳポートをサポートすることができる。しかし、２シンボルＤＭＲＳの場合には、｛１，１｝および｛１，−１｝を使用せずに４つまでのＤＭＲＳポートをスケジューリングすることも可能になるはずである。
【００４５】
コンフィギュレーションタイプ２に対応する第２の前方ＤＭＲＳコンフィギュレーションが、図１Ｃおよび図１Ｄに示されている。このコンフィギュレーションは、ＳＵ−ＭＩＭＯまたはＭＵ−ＭＩＭＯに対し１２個までの直交ポートのサポートを実現する。特に、周波数領域の隣り合うＲＥ（リソースエレメント）全体にわたってそれぞれ適用された２つの（ウォルシュ・アダマール）周波数分割直交カバーコード（ＦＤ−ＯＣＣ）が、６つの構成要素セット、すなわちＣＤＭグループを生成する。
【００４６】
図１Ｃおよび図１Ｄから分かるように、１２個のサブキャリアでは、隣り合うＲＥの対が３つの周波数分割多重化（ＦＤＭ）グループにグループ分けされる。したがって、６つの構成要素セットが、３つのＦＤＭグループにそれぞれ適用された２つのＦＤ−ＯＣＣ（｛１，１｝と｛１，−１｝の両方）から得られる。１シンボルＤＭＲＳの場合では（図１Ｃ）、得られる６つのそれぞれの構成要素セットは、６つまでの直交ＤＭＲＳポートに割り当てることができる。２シンボルＤＭＲＳの場合では、これら６つの構成要素セットをさらに２つのＴＤ−ＯＣＣと組み合わせて、１２個までの直交ＤＭＲＳポートをサポートする能力を得ることができる（図１Ｄ）。
【００４７】
図１Ａ〜１Ｄを参照して上述したように、コム、サイクリックシフト、ＦＤ−ＯＣＣ、ＦＤＭｓ、およびＴＤ−ＯＣＣは、参照信号のための、特に前方ＤＭＲＳのためのリソース要素を構成する。
【００４８】
これらのリソース要素は、第１または第２の前方ＤＭＲＳコンフィギュレーションに従って組み合わされ、結果として得られる構成要素セットまたはＣＤＭグループはそれぞれ、直交ＤＭＲＳポートに割り当てられる。しかし、２シンボルＤＭＲＳの使用は、より低いランクでも可能になるはずである。１シンボルまたは２シンボルＤＭＲＳの場合に特定のコンフィギュレーションによってサポートされる構成要素セットまたはＣＤＭグループのすべてが、ポートの割り当てのために使用される必要があるわけではない。特に、２シンボルの場合にも、｛１，１｝と｛１，−１｝の両方を使用せずに６つのＤＭＲＳポートをスケジューリングすることが可能になるはずである。
【００４９】
ユーザ機器（ＵＥ）の観点から、周波数領域符号分割多重化（ＣＤＭ）によって多重化されたＤＭＲＳポートは、おおよそ同じ場所に置かれる。
【００５０】
ＵＬとＤＬでＵＥの前方ＤＭＲＳコンフィギュレーションタイプが異なっていてもよいかどうかについては、さらなる検討の余地が依然としてある。さらに、上記の合意に顕著な複雑さ／性能問題が含まれる場合には、ダウン選択がなお論じられ得る。
【００５１】
ＬＴＥ  ＤＭＲＳコンフィギュレーション
【００５２】
上述の３ＧＰＰ  ＮＲにおけるＤＭＲＳコンフィギュレーションはＬＴＥと異なっており、ＬＴＥには主に、ウォルシュ・アダマール直交カバーコードを使用する周波数および時間の符号分割多重化を使用して合計８つまでの直交ポート／レイヤをサポートする、ダウンリンクの単一のコンフィギュレーションがある。ＬＴＥにおけるＤＭＲＳコンフィギュレーションについての構成およびさらなる詳細は、非特許文献８に見出すことができる。
【００５３】
非特許文献９から取られている、現在のＬＴＥのレイヤとポートのマッピングの表が以下の表１に示されている。
【００５４】
【表１】
2020536438.tif 000003
【００５５】
ＬＴＥでは、ダウンリンクのために８つまでの直交ＤＭＲＳポートがサポートされ、多重化方式の単一のカテゴリ（時間／周波数のＯＣＣ）を主に使用する。したがって、ポート組み合わせのいずれも、レイヤをマッピングするために、所与のシナリオの動作に影響を及ぼさずに使用することができる。さらに、所与の数のレイヤに対し、リソース（ＤＭＲＳオーバヘッド）の使用は、どのポート組み合わせについても同じである。
【００５６】
さらに、ＬＴＥは、限定されたサポートをＭＵ−ＭＩＭＯに対し行う。また、固定ＤＭＲＳコンフィギュレーションがサポートされ、それゆえに、追加のシグナリングが動的コンフィギュレーションに必要とされることはない。
【００５７】
表１から分かるように、ＬＴＥではレイヤとポートのマッピングで可能な組み合わせが非常に限られている。長さ４のビットマップが、レイヤとポートのマッピングを所与のユーザに知らせるために規定されている。最小数のポート組み合わせが、以下の制限によるレイヤとポートのマッピング結果に対してサポートされる。２つまでのレイヤでは、マッピングのポートインデクシングは連続しており、重なりがない。３つから８つのレイヤでは、インデクシングは連続しており、重なりがなく、固定開始点としてのインデックス０から開始している。マッピングは、１つのポート組み合わせに限定されている。
【００５８】
ＬＴＥの最新リリースでは、透過ＭＵ−ＭＩＭＯだけ（かつ非透過ＭＵ−ＭＩＭＯではない）がサポートされている。しかし、いつもこうであるとは限らない。
【００５９】
ＬＴＥ  Ｒｅｌ−８では、２つまでのＵＥへの送信をサポートするためにＭＵ−ＭＩＭＯが初めて導入されたときに、非透過ＭＵ−ＭＩＭＯが、１ビットを専用電力オフセットフィールドにすることによって導入された。それにもかかわらず、３つ以上のＵＥに対する非透過ＭＵ−ＭＩＭＯのサポートは同意されたことが決してなく、特に、もっと最近のＬＴＥのリリースでは同意されなかった。増大したシグナリングオーバヘッドの欠点は、増大の結果として得られる利点を上回ることがないと決定された。
【００６０】
ＮＲに対するＤＭＲＳ要件
【００６１】
ＬＴＥのレイヤとポートのマッピングに対する制限はもはや、３ＧＰＰ  ＮＲでは耐えることができない。特に、３ＧＰＰ  ＮＲにおける新システム設計の利点から利益を得るための、非透過ＭＵ−ＭＩＭＯの需要がある。
【００６２】
たとえば、非透過ＭＵ−ＭＩＭＯのサポートを３ＧＰＰ  ＮＲに取り入れるために、専用ビットフィールドを取り入れていないＬＴＥに対してなされた決定を再検討することができるはずである。しかし、やはり現在のところ、ＭＵ−ＭＩＭＯの専用ビットフィールドが存在するので、サポートは必要がない。
【００６３】
実施形態についての説明
【００６４】
本開示は、複数のアンテナを使用してレイヤ内でデータが送信および／または受信される移動通信システムにおいて、協調スケジューリング情報のシグナリング（非透過ＭＵ−ＭＩＭＯ）を符号分割多重（ＣＤＭ）グループそれぞれについて助長する。より詳細には、本開示は、より効率的かつ効果的なシグナリング機構を助長するために協調スケジューリング情報と組み合わされる、レイヤとポートのマッピングの組み合わせ情報のセットを提案する。
【００６５】
図２に示された例示的な実施形態では、本開示は、移動通信システムにおいて複数のアンテナを使用する基地局２６０との間でデータを送信および／または受信する移動端末２１０を提示する。移動端末２１０および基地局２６０は、無線チャネル２５０を介してデータを送信および／または受信するように構成される。
【００６６】
移動端末２１０は、ＬＴＥおよびＮＲにおいてユーザ機器（ＵＥ）という名称で通常呼ばれているものに対応することができ、基地局２６０は、ＬＴＥおよびＮＲにおいて進化型ＮｏｄｅＢ（ｅＮｏｄｅＢもしくはｅＮＢ）または次世代ＮｏｄｅＢ（ｇＮｏｄｅもしくはＢｇＮＢ）という名称で呼ばれているものに対応することができる。
【００６７】
より詳細には、移動端末２１０は、基地局２６０との間でデータをレイヤ内で送信および／または受信するように構成される。上で論じたように、用語のレイヤ（または空間レイヤ）とは、空間多重化によって生成された後に移動端末２１０と基地局２６０の間で別々のアンテナポートを介して交換される、様々なストリームのうちの１つを指す。
【００６８】
送信および（続いて）受信されるデータのコヒーレント復調のために、参照信号もまた、移動端末２１０と基地局２６０の間で交換される。上で論じたように、参照信号の送信および／または受信は、レイヤとポートのマッピングを参照して行われる。このマッピングは、それぞれのレイヤごとに、参照信号を送信／受信するために使用されるべき１つのＤＭＲＳポートを指定する。
【００６９】
特に、レイヤとポートのマッピングは、基地局２６０および移動端末２１０の構成に応じて、すなわち、ＤＭＲＳコンフィギュレーションタイプ（たとえば、ＤＭＲＳコンフィギュレーションタイプ１または２）によって指定されるコンフィギュレーションと、ＤＭＲＳ（たとえば、１シンボルまたは２シンボルＤＭＲＳ）に使用されるべきシンボルの数とに応じて変化する。上で論じたように、このコンフィギュレーションは、ＤＭＲＳを搬送するためのリソースを決定するだけでなく、基地局２６０によってスケジューリングできるＤＭＲＳポートの最大数も決定する。
【００７０】
言い換えると、移動端末２１０および基地局２６０は、移動通信システムにおける通信のために複数のコンフィギュレーションのうちのどれが選択されるかに応じて異なるレイヤとポートのマッピングに戻る。ＤＭＲＳポートのコンフィギュレーションは、基地局２６０および移動端末がデータの送信および／または受信を実行するためにレイヤとポートのマッピングを使用できるように指定される。
【００７１】
この目的のために、移動端末２１０は、たとえばトランシーバ２２０およびプロセッサ２３０である回路を備え、この回路は動作時に、参照信号を搬送するそれぞれの（時間−周波数）リソースをＤＭＲＳポートに割り当てるコンフィギュレーションを定義するパラメータを受信する。言い換えると、このコンフィギュレーションでは、１つまたは複数のＤＭＲＳポートの参照信号のそれぞれを、（リソース）要素セットとして表されることもある特定のリソースに割り当てる。
【００７２】
リソースまたは（リソース）要素セットは、複数の符号分割多重（ＣＤＭ）グループにグループ分けされる。特に、符号分割多重（ＣＤＭ）グループは、リソースのそれぞれ、または（リソース）要素セットによって、最大数の、たとえば２つまたは４つの直交参照信号を同じＣＤＭグループのそれぞれのＤＭＲＳポートで搬送できるように、参照信号を搬送するためのリソースまたは（リソース）要素セットをＤＭＲＳポートのそれぞれについて指定する。
【００７３】
図１Ａに示された例を参照すると、２つのサイクリックシフト（２つの異なるＤＭＲＳポートのセットになる）をそれぞれ有する２つのコム（ｃｏｍｂ１、ｃｏｍｂ２）のリソースは、別々のＣＤＭグループ（ＣＤＭグループ０、ＣＤＭグループ１）を規定している。図１Ｂに示された例では、２つのサイクリックシフトおよび２つのＴＤ−ＯＣＣ（４つの異なるＤＭＲＳポートのセットになる）をそれぞれ有する２つのコム（ｃｏｍｂ１、ｃｏｍｂ２）のリソースは、別々のＣＤＭグループ（ＣＤＭグループ０、ＣＤＭグループ１）を規定している。
【００７４】
さらに図１Ｃに示された例では、２つのＦＤ−ＯＣＣ（２つの異なるＤＭＲＳポートのセットになる）をそれぞれ有する３つのＦＤＭグループ（ＦＤＭ１、ＦＤＭ２、ＦＤＭ３）のリソースは、別々のＣＤＭグループ（ＣＤＭグループ０、ＣＤＭグループ１、ＣＤＭグループ２）を規定している。最後に、図１Ｄに示された例では、２つのＦＤ−ＯＣＣおよび２つのＴＤ−ＯＣＣ（４つの異なるＤＭＲＳポートのセットになる）をそれぞれ有する３つのＦＤＭグループ（ＦＤＭ１、ＦＤＭ２、ＦＤＭ３）のリソースは、別々のＣＤＭグループ（ＣＤＭグループ０、ＣＤＭグループ１、ＣＤＭグループ２）を規定している。
【００７５】
すでに上述したように、参照信号を搬送するための（時間−周波数）リソースは、複数の符号分割多重（ＣＤＭ）グループにグループ分けされる。特に、本開示のコンテキストでは、ＣＤＭグループとは、同じリソースを使用する、かつ直交カバーコード（ＯＣＤ）または時間および／もしくは周波数の符号分割多重（ＣＤＭ）を使用することによって互いに直交する、ＤＭＲＳポートのセットを指す。
【００７６】
本開示のコンテキストでは、移動端末２１０の観点からＣＤＭグループが参照される。移動端末２１０では、ＣＤＭグループとは、おおよそ同じ場所に置かれているＤＭＲＳポートのリソースまたは（リソース）要素セットを指す。
【００７７】
再び例示的な実施形態に対して、たとえばトランシーバ２２０およびプロセッサ２３０である、移動端末２１０の回路は動作時に、データの送信および／または受信のための少なくとも１つのＣＤＭグループのＤＭＲＳポートに参照信号を配置するために適用される、レイヤとポートのマッピングの組み合わせのセットの１つを示す制御情報を受信する。
【００７８】
次に、移動局２１０は、レイヤとポートのマッピングの組み合わせのセットのうちの示された１つを利用してＤＭＲＳポートを決定し、リソースまたは（リソース）要素セットのコンフィギュレーションに基づいて、このＤＭＲＳポートに対し、データの送信および／または受信のためのそれぞれのリソースを決定する。言い換えると、組み合わせにおいてのみ、コンフィギュレーションおよび示されたレイヤとポートのマッピングは、データの送信および／または受信を可能にする。
【００７９】
しかし、コンフィギュレーションパラメータと制御情報は、移動端末２１０によって両方同時には受信されない。むしろ、基地局２６０は、コンフィギュレーションパラメータをたとえば無線リソース制御（ＲＲＣ）プロトコルによってまれにしか知らせることができないのに対し、制御情報は、ダウンリンク制御情報（ＤＣＩ）中のスケジューリング情報と一緒に、物理的ダウンリンク制御チャネル（ＰＤＣＣＨ）を介して知らされ得る。
【００８０】
さらに、例示的な実施形態に対して、受信された制御情報は、しかしながら、レイヤとポートのマッピング構成のセットのうちの１つを移動端末２１０に示すことだけに制限されない。むしろ、受信された制御情報はさらに、移動端末２１０に対し協調スケジューリング情報をＣＤＭグループそれぞれについて示す。
【００８１】
この協調スケジューリング情報は次に、同じデータの送信および／または受信のために利用すること、すなわち、同じＴＴＩのデータの送信および／または受信のための干渉相殺および／またはレートマッチングを改善するのに利用することができる。
【００８２】
ＣＤＭグループそれぞれについて協調スケジューリング情報を示すと、非透過ＭＵ−ＭＩＭＯシグナリングに対して有利なトレードオフが実現する。特に、ＣＤＭグループそれぞれについて協調スケジューリングを示すことにより、干渉相殺の改善、および／またはデータ送信容量を増大させるためのレートマッチングの適応に関して、シグナリングオーバヘッドを最小にするという利点が得られる。
【００８３】
以下では、参照信号の送信および／または受信を実行するように移動端末２１０がスケジューリングされるＣＤＭグループ（以下ではＣＤＭグループの第１のセットとして表される）と、移動端末２１０に対しスケジューリングされていない他のＣＤＭグループ（ＣＤＭグループの第２のセットとして表される）とへの、協調スケジューリング情報の標示（indication）の区別がされる。しかし、この区別は、協調スケジューリング情報によって得られる利点を考慮すると、さらに明らかになる。
【００８４】
上記のように、移動端末２１０は、干渉相殺の改善のために協調スケジューリング標示を使用することができる。
【００８５】
各ＣＤＭグループにおいて、基地局は、異なる移動端末を協調スケジューリングして、（同じＣＤＭグループの）同じリソースのＤＭＲＳポートに参照信号を割り当てる。ＤＭＲＳポートは、ＣＤＭグループ内で互いに直交すると言われているが、参照信号間に漏洩現象があることがあり、その結果、参照信号の受信品質が劣化することになり得る。したがって、この干渉により、データの送信および／または受信のコヒーレント復調能力が低下することになる。
【００８６】
ここで、ＣＤＭグループに基づいた追加の協調スケジューリング情報によって、移動局には、それ「自体の」参照信号をやはり搬送しているＣＤＭグループの、すなわちリソースの、協調スケジューリングが分かっている。すなわち、この追加の協調スケジューリング情報によって移動局は、参照信号に対して干渉相殺を実行し、それによってコヒーレント復調能力を向上させることができる。
【００８７】
注目すべきことに、干渉相殺の改善はしかしながら、参照信号の送信および／または受信を実行するように移動端末２１０がスケジューリングされている（ＣＤＭグループの第１のセット）、ＣＤＭグループ中の協調スケジューリング情報に関連している。
【００８８】
さらに、移動端末２１０は、レートマッチングの改善のために協調スケジューリング標示を使用することができる。
【００８９】
各ＣＤＭグループでは、基地局が、別々の移動端末をスケジューリングして、（たとえば、別々のＣＤＭグループの）別々のリソースのＤＭＲＳポートに参照信号を割り当てることができる。別々のＣＤＭグループのＤＭＲＳポートのスケジューリングは、ＣＤＭグループの干渉特性に対して最適ではあるが、このスケジューリングにより、移動端末がデータの送信および／または受信のために（コンテキストからの）異なるリソースを再使用することが阻止される。
【００９０】
言い換えると、（別々のＣＤＭグループの）別々のリソースに対する参照信号の（実際の）割り当てについての情報により、移動端末が（別々のＣＤＭグループの）この（追加の）別々のリソースにデータの送信および／または受信を搬送するシンボルを割り当てることを決定できる位置に移動端末が入れられる。これにより、それぞれのＴＴＩにおけるデータ送信容量が増加し、それゆえに、データ送信容量の増加を活用するための適応されたレートマッチングが必要になることは言うまでもない。
【００９１】
ここで、ＣＤＭグループに基づいた追加の協調スケジューリング情報によって、移動局には、それ「自体の」参照信号を搬送していない別のＣＤＭグループの、すなわちリソースの、協調スケジューリングが分かっている。すなわち、この追加の協調スケジューリング情報によって、移動端末は次に、データの送信および／または受信のために別々のＣＤＭグループからのこれらのリソースを再使用できるかどうかを決定できるが、この再使用には、データ送信容量の増加に応じて適応されたレートマッチングが必要になる。
【００９２】
注目すべきことに、同じＴＴＩのデータの送信および／または受信のための改善されたレートマッチングはしかしながら、参照信号の送信および／または受信を実行するように移動端末がスケジューリングされていない（ＣＤＭグループの第２のセット）別々のＣＤＭグループ中の協調スケジューリング情報に関連しているだけである。
【００９３】
要するに、改善された干渉相殺と、データ送信容量を増大するためのレートマッチングの適応との利点は、両方が、ＣＤＭグループそれぞれについて協調スケジューリング情報が存在することに結びついているが、移動端末が参照信号送信を実行するように（ＣＤＭグループの第１のセット）、またはしないように（ＣＤＭグループの第２のセット）スケジューリングされているＣＤＭグループに対し協調スケジューリングが示されるかどうか次第であり得る。
【００９４】
したがって、本開示によって、協調スケジューリング情報を示すことが、たとえ協調スケジューリング情報が複数のＣＤＭグループの全部ではなくサブセットについてしか知らされないとしても、有利な効果をすでにもたらしていることはもう明らかになっている。
【００９５】
本開示のコンテキストでは、協調スケジューリング情報は、ＣＤＭグループそれぞれについて知らされる。この協調スケジューリング情報は、基地局が参照信号の送信および／または受信のためにＣＤＭグループのそれぞれのリソースのＤＭＲＳポートに別の移動端末を協調スケジューリングしていることを移動端末に示すこととして理解されたい。
【００９６】
協調スケジューリング情報が提供されるＣＤＭグループによっては、協調スケジューリング情報を別々に解釈することが有利なことがある。
【００９７】
ＣＤＭグループの第２のセットに関して、協調スケジューリング情報によって、移動端末がレートマッチングをデータ送信容量の増加によって利益が得られるように適応させることが可能になる。注目すべきことに、こうするために移動端末に必要なことは、別のＣＤＭグループのＤＭＲＳポートに割り当てられた少なくともただ１つの別の移動端末があるか（またはないか）を知ることだけである。
【００９８】
ＣＤＭグループの第２のセットのうちの１つに少なくともただ１つの割り当てられたＤＭＲＳポートがある場合には、それぞれの参照信号の送信および／または受信は、レートマッチングの適応、およびデータ送信容量の増加による利益よりも重要であると考えられる。そうでない場合には、移動端末は、そのデータ送信容量の増加を利用するようにレートマッチングを適応させることができる。
【００９９】
したがって、ＣＤＭグループの第２のセットについて、協調スケジューリング情報はこのようにして、ＣＤＭグループごとにスケジューリングされている「少なくとも１つの」異なる移動端末を示していると解釈することができる。
【０１００】
ＣＤＭグループの第１のセットに関して、協調スケジューリング情報によって移動端末は、改善された干渉相殺から利益を得ることが可能になる。しかし、干渉相殺の改善は、第１のセットの同じＣＤＭグループの別々のＤＭＲＳポートが割り当てられた、所与の数（図３〜６で数Ｘとして表されている）よりも多い、たとえば１つよりも多い（たとえば、２つまたは３つの）移動端末がある場合に必要になるだけである。
【０１０１】
そうではなく、第１のセットの同じＣＤＭグループの別々のＤＭＲＳポートが割り当てられた移動端末が所与の数よりも少ない、たとえば１つである、または無い場合には、既存の機構が直交ＤＭＲＳポートを確立するのに十分な動作をしていると十分に予期することができる。
【０１０２】
たとえば、３ＧＰＰ  ＮＲ配置シナリオでは、干渉相殺は、参照信号の受信機にブラインド干渉検出機構を利用することによって改善される。それによって、受信機における干渉についての予備知識が何もなくても（協調スケジューリング情報だけが、所与の数の、たとえば２つまたは３つの移動端末からの干渉があることを示す）、参照信号の受信特性の改善が達成される。
【０１０３】
しかし、ブラインド干渉検出機構は、計算が複雑であり、電力消費に関して費用がかかり、無視できない処理遅延がシグナリングフローに導入されるので、（実際に）多くの干渉が示される場合にだけ有利になる。この目的のために、ＣＤＭグループの第１のセットに示されている協調スケジューリング干渉の数（図３〜６で数Ｘとして表されている）は、ＣＤＭグループの第２のセットに示されている協調スケジューリング干渉の数とは異なっている。
【０１０４】
言い換えると、協調スケジューリング情報の解釈はＣＤＭグループによって、したがって、協調スケジューリング情報が受信されるＣＤＭグループのセットによって決まり得る。協調スケジューリング情報が、第１のセットの、それ「自体の」参照信号が搬送されているＣＤＭグループについて受信される場合、協調スケジューリング情報は、第２のセットのＣＭＤグループと比較されたＣＤＭグループごとの協調スケジューリングされた所与の数の移動端末の存在を示すことができ、この場合、協調スケジューリング情報は、ＣＤＭグループごとの協調スケジューリングされた任意の移動端末の存在を示すことができる。
【０１０５】
上記と同様に、本開示はまた、移動通信システムにおいて複数のアンテナを使用する移動端末２１０との間でデータを送信および／または受信するための基地局２６０を提示する。ここでもまた、基地局２６０および移動端末２１０は、無線チャネル２５０を介してデータを送信および／または受信するように構成される。
【０１０６】
基地局２６０は、たとえばトランシーバ２７０およびプロセッサ２８０である回路を備え、この回路は、動作時に、移動端末２１０へ向けて、参照信号を搬送するための、複数の符号分割多重（ＣＤＭ）グループにグループ分けされている各リソースをポートに割り当てるコンフィギュレーションを定義するパラメータを送信し、移動端末２１０へ向けて、データの送信および／または受信のための少なくとも１つのＣＤＭグループのポートに参照信号を配置するために適用される、レイヤとポートのマッピングの組み合わせのセットの１つを示す制御情報を送信する。
【０１０７】
加えて、ここではまた、制御情報は、同じデータ送信および／または受信のための複数のＣＤＭグループのうちの少なくとも１つのＣＤＭグループおよび／または少なくとも１つの別のＣＤＭグループに対する協調スケジューリング情報も示している。
【０１０８】
ここで、制御情報が基地局２６０と移動局２１０の間で伝達される形を参照する。この目的のために、シグナリング機構の例示的な実施態様としての図３〜６を参照する。
【０１０９】
すでに前に論じたように、制御情報（各図の列１）は、レイヤとポートのマッピング構成のセット（各図の列２および列３）のうちの１つを移動端末２１０に示すだけではなく、ＣＤＭグループそれぞれについて協調スケジューリング情報（各図の列４および列５または列４〜６）もまた移動端末２１０に示すように構成されている。
【０１１０】
この点において、たとえばバイナリ形式で制御情報を受信した移動端末２１０は、（各図の列１の）対応するインデックスが付いた行を参照し、こうして、基地局によって示されているレイヤとポートのマッピングと、さらにＣＤＭグループのそれぞれへの協調スケジューリング情報とを取得する。図から分かるように、協調スケジューリング情報のすべての可能な順列を反映するために、制御情報に同じポートとレイヤのマッピング付きの別個の（複数の）行を与えることが提案されている。
【０１１１】
より詳細には、図３は、ＤＭＲＳコンフィギュレーションタイプ１および１シンボルＤＭＲＳコンフィギュレーションのための、ＣＤＭグループそれぞれについて協調スケジューリング情報（列４および列５）と組み合わされた、レイヤとポートのマッピングの組み合わせ（列２および列３）の例示的なセットを示す。したがって、この例は、図１Ａに示されたリソースにＤＭＲＳポートを割り当てることに基づいており、合計２つのＤＭＲＳポートを２つのＣＤＭグループのそれぞれにスケジューリングすることができる。
【０１１２】
同様に、図４は、ＤＭＲＳコンフィギュレーションタイプ１および２シンボルＤＭＲＳコンフィギュレーションのための、ＣＤＭグループそれぞれについて協調スケジューリング情報（列４および列５）と組み合わされた、レイヤとポートのマッピングの組み合わせ（列２および列３）の例示的なセットを示す。したがって、この例は、図１Ｂに示されたリソースにＤＭＲＳポートを割り当てることに基づいており、合計４つのＤＭＲＳポートを２つのＣＤＭグループのそれぞれに割り当てることができる。
【０１１３】
さらに、図５は、ＤＭＲＳコンフィギュレーションタイプ２と１シンボルＤＭＲＳの場合の、ＣＤＭグループそれぞれについて協調スケジューリング情報（列４〜６）と組み合わされた、レイヤとポートのマッピングの組み合わせ（列２および列３）の例示的なセットを示す。したがって、この例は、図１Ｃに示されたリソースにＤＭＲＳポートを割り当てることに基づいており、総数２つのＤＭＲＳポートを３つのＣＤＭグループのそれぞれに割り当てることができる。
【０１１４】
さらに、図６Ａおよび図６Ｂは、ＤＭＲＳコンフィギュレーションタイプ２と２シンボルＤＭＲＳの場合の、ＣＤＭグループそれぞれについて協調スケジューリング情報（列４〜６）と組み合わされた、レイヤとポートのマッピングの組み合わせ（列２および列３）の例示的なセットを示す。したがって、この例は、図１Ｄに示されたリソースにＤＭＲＳポートを割り当てることに基づいており、合計４つのＤＭＲＳポートを３つのＣＤＭグループのそれぞれにスケジューリングすることができる。
【０１１５】
図３〜６のすべての例示的な実施態様について、ＣＤＭグループおよびＤＭＲＳポートにインデックスが下記のように付けられることが仮定されている。
【０１１６】
１．ＣＤＭグループには連続したインデックスが付けられ、ＣＤＭグループのＤＭＲＳポートには（にも）連続したインデックスが付けられ、すなわち、それによりＤＭＲＳポートのインデックスは、複数のＣＤＭグループのインデックスと共に増加することになる。
【０１１７】
言い換えれば、（単一の）ＣＤＭグループを考察すると、このＣＤＭグループのＤＭＲＳポートのインデックスは連続して分布する。このことはすでに、ＣＤＭグループのそれぞれのＤＭＲＳポートには、特定のＣＤＭグループに関係なく、連続したインデックスが付けられていることから推測することができる。
【０１１８】
ここで別のＣＤＭグループを考察すると、ＤＭＲＳポートのインデックスは、小さいインデックスが付いた特定のＣＤＭグループのＤＭＲＳポートのどれか１つが、次の大きいインデックスが付いた別の特定のＣＤＭグループのＤＭＲＳポートのどれか１つよりも小さいインデックスを有するように、ＣＤＭグループ内で分布している。
【０１１９】
ＣＤＭグループおよびＤＭＲＳポートの連続したインデックス付けを規定したので、図３〜６の例示的な実施態様に関して、基地局は、複数のＣＤＭグループの全部について、ＤＭＲＳポートを移動局に連続して、かつ増加的に（すなわち順次的に）割り当てているとも仮定される。
【０１２０】
２．移動端末は、最小インデックスが付いたＤＭＲＳポートから始まる連続インデックスを持つ複数のＣＤＭグループ全部の中から、ＤＭＲＳポートを割り当てられる。
【０１２１】
議論のために、基地局２６０が移動端末２１０に、最小インデックスが付いたＤＭＲＳポート（ＤＭＲＳポート０、すなわちＰ０）を割り当てると仮定する。この場合、基地局２６０が同じ移動端末２１０に別のＤＭＲＳポートを割り当てたいということがあれば、基地局は、次のより大きい連続インデックスが付いたＤＭＲＳポート（ＤＭＲＳポート１、すなわちＰ１）を割り当てることを進めなければならない。したがって、１つの移動端末が、連続したインデックスを持たない２つのＤＭＲＳポートを割り当てられる可能性がない。
【０１２２】
制御情報としてインデックスを付けることができる行の総数を低減すると、制御信号中のシグナリングオーバヘッドの総量が低減する。特に、本発明者らは、以下の規則が守られる場合に制御情報のシグナリングが最も効率的かつ効果的になり得ることを認めた。
【０１２３】
３．ＭＵ−ＭＩＭＯにおいて移動端末ごとにスケジューリングできるＤＭＲＳポートの最大数は、所与の数に、たとえば、ポートにそれぞれのリソースを割り当てるためのコンフィギュレーションによって規定されるＤＭＲＳポートの最大数よりも小さい数に、制限される。
【０１２４】
一方で、ＭＵ−ＭＩＭＯにおいて移動端末ごとのＤＭＲＳポートの最大数を減らすことによって、レイヤとポートのマッピングならびにＣＤＭグループそれぞれについて協調スケジューリングを示す、制御情報に反映される順列の総数が激減する。
【０１２５】
もう一方で、制御情報により、レイヤとポートのマッピングに関して、ＤＭＲＳポートの異常な数（ＭＵ−ＭＩＭＯにおけるＤＭＲＳポートの最大数よりも大きい）を示すことが可能になるということがあれば、移動端末は、それがデータの送信および／または受信のためにＳＵ−ＭＩＭＯで動作していると見なすことができる。
【０１２６】
後者の場合では、ＳＵ−ＭＩＭＯが構成されているという単なる事実から、ＣＤＭグループのいずれに関しても協調スケジューリング情報を追加して示す必要がない。このことに一致して、制御情報は次に、たとえば、どんな協調スケジューリングも無いことを示す。
【０１２７】
たとえば、このことは図３に、インデックス１１に対応する制御情報（制御情報＝「１０１１」）、およびインデックス１２に対応する制御情報（制御情報＝「１１００」）について示されている。図には、ＭＵ−ＭＩＭＯにおける移動端末ごとのＤＭＲＳポートの最大数が２であるにもかかわらず、３つのＤＭＲＳポート（ポートＰ０〜Ｐ２）または４つのＤＭＲＳポート（ポートＰ０〜Ｐ４）が示されている。したがって、移動端末では、データの送信および／または受信がＳＵ−ＭＩＭＯで行われていることが分かる。すなわち、協調スケジューリングがなく、それゆえに、協調スケジューリング情報はＣＤＭグループ０で「０」に、およびＣＤＭグループ１で「０」になる。
【０１２８】
４．ＳＵ−ＭＩＭＯにおいて移動端末ごとにスケジューリングできるＤＭＲＳポートの最大数は、所与の数に、たとえば、ポートにそれぞれのリソースを割り当てるためのコンフィギュレーションによって規定されるＤＭＲＳポートの最大数よりも小さい数に、制限される。
【０１２９】
ＳＵ−ＭＩＭＯにおいて移動端末ごとのＤＭＲＳポートの最大数を減らすことによって、レイヤとポートのマッピングならびにＣＤＭグループそれぞれについて協調スケジューリングを示す、制御情報に反映される順列の総数はさらに低減する。
【０１３０】
たとえば、このことは図５に示されており、合計８つのＤＭＲＳポート（ポートＰ０〜Ｐ７）の可用性にもかかわらず、制御情報のインデックスは、ＳＵ−ＭＩＭＯで動作している「わずか」４つのポート（ポートＰ０〜Ｐ３）に関連する数２２（制御情報＝「１０１１０」）で終了する。
【０１３１】
図４および図６Ａ／Ｂで、構成することができるＳＵ−ＭＩＭＯ動作モードがないことに留意されたい。その理由は、ＭＵ−ＭＩＭＯとＳＵ−ＭＩＭＯにおける移動端末ごとのポートの最大数は等しく、それによって、協調スケジューリング情報を示す優先権がＭＵ−ＭＩＭＯに与えられるからである。
【０１３２】
５．（単一の）ＣＤＭグループのすべてのＤＭＲＳポートが割り当てられている移動端末では、同じＣＤＭグループ内の協調スケジューリングを予期することがない。
【０１３３】
このこともまた、レイヤとポートのマッピングならびにＣＤＭグループそれぞれについて協調スケジューリングを示す、制御情報に反映される順列の数を低減する。
【０１３４】
たとえば、このことは図３に示されており、インデックス８に対応する制御情報（制御情報「１０００」）、およびインデックス９に対応する制御情報（制御情報「１００１」）について、ＣＤＭグループ０の全部で２つのＤＭＲＳポート（ポートＰ０〜Ｐ１）が、移動端末それ自体に割り当てられ、それにより、このＣＤＭグループ０については協調スケジューリング情報「０」以外に何も示されないことになる。
【０１３５】
６．（単一の）ＣＤＭグループの最小のインデックスが付いたＤＭＲＳポートを割り当てられていない移動端末は、同じＣＤＭグループ内、および小さいインデックスが付いたＣＤＭグループ内の協調スケジューリングを予期することになる。
【０１３６】
ＣＤＭグループへのこの協調スケジューリング情報のシグナリングは、ＤＭＲＳポートが連続して、かつ増加的に（上記の番号２で論じたように）割り当てられていることを利用している。
【０１３７】
議論のために、基地局２６０が移動端末２１０に、最小インデックスが付いたＤＭＲＳポート（ＤＭＲＳポート０、すなわちＰ０）ではなく、中間インデックスが付いたＤＭＲＳポート（ＤＭＲＳポート１、すなわちＰ１）を割り当てると仮定する。この場合、基地局２６０は、最小インデックスから始まるＤＭＲＳポートを割り当てるように要求されるので、移動端末２１０は、協調スケジューリングされた（別の）移動端末が、インデックス１付きの割り当てられたＤＭＲＳポートが属する同じＣＤＭグループ内にあると推測することができる。したがって、ＭＵ−ＭＩＭＯにおいて制御情報によって示された協調スケジューリング情報が同じＣＤＭグループ内で常に「１」であることは本来的なものである。
【０１３８】
たとえば、これは図３に示されているが、インデックス３（制御情報＝「００１１」）に対応する、かつインデックス４（制御情報＝「０１００」）に対応する制御情報に対し、示される協調スケジューリング情報は、ＣＤＭグループ０内で常に「１」である。したがって、この規則によっても、順列の総数は低減される。
【０１３９】
この協調スケジューリング情報の本来的なシグナリングは、割り当てられたＤＭＲＳポートが属するＣＤＭグループに当てはまるだけでなく、よりインデックスが小さいＣＤＭグループにも適用される。
【０１４０】
議論のために、基地局２６０が移動端末２１０に、最小インデックスが付いたＤＭＲＳポート（ＤＭＲＳポート０、すなわちＰ０）ではなく、中間インデックスが付いたＤＭＲＳポート（ＤＭＲＳポート３、すなわちＰ３）を割り当てると仮定する。この場合、基地局２６０は、最小インデックスから始まるＤＭＲＳポートを割り当てるように要求されるので、移動端末２１０は、協調スケジューリングされた（別の）移動端末が、インデックス３付きの割り当てられたＤＭＲＳポートが属する同じＣＤＭグループ１内にあり、またＣＤＭグループ０にもあると推測することができる。したがって、ＭＵ−ＭＩＭＯにおいて制御情報によってＣＤＭグループ０およびＣＤＭグループ１に対して示された協調スケジューリング情報は常に「１」である。
【０１４１】
たとえば、これは図３に示されているが、インデックス７（制御情報＝「０１１１」）に対応する制御情報に対し、示される協調スケジューリング情報は、ＣＤＭグループ０およびＣＤＭグループ１内で常に「１」である。したがって、この規則によっても、順列の総数は低減される。
【０１４２】
本開示は、ソフトウェア、ハードウェア、またはハードウェアと組み合わせたソフトウェアによって実現することができる。上述の各実施形態の説明に使用された各機能ブロックは、集積回路などのＬＳＩによって部分的または全体的に実現することができ、各実施形態で説明された各処理は、同じＬＳＩによって、または複数のＬＳＩの組み合わせによって部分的または全体的に制御することができる。ＬＳＩは、チップとして個々に形成することができ、あるいは１つのチップが、機能ブロックの一部または全部を含むように形成されてもよい。ＬＳＩは、それに結合されたデータ入出力部を含むことができる。ＬＳＩは、本明細書では、集積度の違いに応じてＩＣ、システムＬＳＩ、スーパーＬＳＩ、またはウルトラＬＳＩと呼ばれることがある。
【０１４３】
しかし、集積回路を実装する技法はＬＳＩに限定されず、専用回路、汎用プロセッサ、または特定目的プロセッサを使用して実現されてもよい。加えて、ＬＳＩの製造後にプログラムできるＦＰＧＡ（フィールドプログラマブルゲートアレイ）、またはＬＳＩの内部に配置された回路の接続および設定を再構成できるリコンフィギャラブル・プロセッサを使用することもできる。本開示は、デジタル処理またはアナログ処理として実現することができる。半導体技術または他の派生技術の進歩の結果として将来の回路技術がＬＳＩに取って代わる場合、機能ブロックは、その将来の集積回路技術を使用して統合することもできる。生物工学もまた適用することができる。
【０１４４】
第１の態様によれば、移動通信システムにおいて複数のアンテナを使用して基地局との間でデータをレイヤ内で送信および／または受信するための移動端末が提案され、この移動端末は、動作時に、参照信号を搬送するための、複数の符号分割多重（ＣＤＭ）グループにグループ分けされている各リソースをポートに割り当てるコンフィギュレーションを定義するパラメータを基地局から受信し、データの送信および／または受信のための少なくとも１つのＣＤＭグループのポートに参照信号を配置するために適用される、レイヤとポートのマッピングの組み合わせのセットの１つを示す制御情報を基地局から受信する、回路を備え、この制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を追加的に示している。
【０１４５】
第１の態様と組み合わせることができる第２の態様によれば、前記制御情報は、複数のＣＤＭグループの全部またはサブセットへの協調スケジューリング情報を示す。
【０１４６】
第１または第２の態様と組み合わせることができる第３の態様によれば、前記協調スケジューリング情報は、基地局が、前記少なくとも１つおよび／または別のＣＤＭグループ内の、異なる移動端末を協調スケジューリングしていることを示す。
【０１４７】
第１または第２の態様と組み合わせることができる第４の態様によれば、前記協調スケジューリング情報は、基地局が、前記少なくとも１つおよび／または別のＣＤＭグループ内の、少なくともいくつかの異なる移動端末を協調スケジューリングしていることを示す。
【０１４８】
第１〜第４の態様と組み合わせることができる第５の態様によれば、前記協調スケジューリング情報は、前記複数のＣＤＭグループのそれぞれにおける協調スケジューリングの有無を示すバイナリ情報である。
【０１４９】
第１〜第５の態様と組み合わせることができる第６の態様によれば、前記複数のＣＤＭグループには、連続したインデックスが付けられ、かつ前記複数のＣＤＭグループのそれぞれのポートには、連続したインデックスが、前記ポートのインデックスが前記複数のＣＤＭグループのインデックスと共に増加するように、付けられている。
【０１５０】
第１〜第６の態様と組み合わせることができる第７の態様によれば、前記協調スケジューリング情報は、前記複数のＣＤＭグループのうちの、前記少なくとも１つのＣＤＭグループのインデックス以上のインデックスを有するＣＤＭグループのみに対する協調スケジューリングを示す。
【０１５１】
第１〜第７の態様と組み合わせることができる第８の態様によれば、前記参照信号を配置するための前記制御情報に示された前記ポートの最小インデックスよりも小さいインデックスを有するＣＤＭグループのポートに割り当てられたリソースは、本来、基地局によって協調スケジューリングされると知られている。
【０１５２】
第１〜第８の態様と組み合わせることができる第９の態様によれば、前記マッピングは、レイヤとポートのマッピングの前記組み合わせと、前記協調スケジューリング情報と、にインデックスを付けることを意味する。
【０１５３】
第１〜第９の態様と組み合わせることができる第１０の態様によれば、前記ポートに割り当てられるリソースは、２つのリソース要素コンフィギュレーションを含み、第１のリソース要素コンフィギュレーションは、コム、および参照信号のサイクリックシフトを含み、前記コムは、奇数のサブキャリアインデックスを有するサブキャリア、または偶数のサブキャリアインデックスを有するサブキャリア、のどちらかで構成され、第２のリソース要素コンフィギュレーションは、周波数分割多重および周波数分割直交カバーコード（ＯＣＣ）を含み、前記回路は、動作時に、基地局から、前記第１のリソース要素コンフィギュレーションが使用されているかまたは前記第２のリソース要素コンフィギュレーションが使用されているかを示すインジケータをさらに受信する。
【０１５４】
第１〜第１０の態様と組み合わせることができる第１１の態様によれば、参照信号を搬送するための各リソースをポートに割り当てるコンフィギュレーションを定義する前記パラメータは、無線リソース制御（ＲＲＣ）プロトコルを介して受信される。
【０１５５】
第１〜第１１の態様と組み合わせることができる第１２の態様によれば、レイヤとポートのマッピングの組み合わせのセットの１つを示すとともに前記協調スケジューリング情報を示す前記制御情報は、物理的ダウンリンク制御チャネル（ＰＤＣＣＨ）を介して受信される。
【０１５６】
第１〜第１２の態様と組み合わせることができる第１３の態様によれば、前記参照信号は、前方復調用参照信号である。
【０１５７】
第１〜第１３の態様と組み合わせることができる第１４の態様によれば、前記移動端末は、前記示されたレイヤとポートのマッピングの組み合わせを適用して前記データ送信および／または受信を動作時に行うトランシーバをさらに備える。
【０１５８】
第１〜第１４の態様と組み合わせることができる第１５の態様によれば、前記移動端末は、前記受信された参照信号に対する干渉補償、および／または、前記データ送信および／または受信のためのレートマッチング、を動作時に行うプロセッサをさらに備える。
【０１５９】
第１６の態様によれば、移動通信システムにおいて複数のアンテナを使用して基地局との間でデータをレイヤ内で送信および／または受信するために移動端末によって実行される方法が提案され、この方法は、参照信号を搬送するための、複数の符号分割多重（ＣＤＭ）グループにグループ分けされている各リソースをポートに割り当てるコンフィギュレーションを定義するパラメータを基地局から受信するステップと、データの送信および／または受信のための少なくとも１つのＣＤＭグループのポートに参照信号を配置するために適用される、レイヤとポートのマッピングの組み合わせのセットの１つを示す制御情報を基地局から受信するステップと、を含み、前記制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を追加的に示している。
【０１６０】
第１６の態様と組み合わせることができる第１７の態様によれば、前記制御情報は、前記複数のＣＤＭグループの全部またはサブセットに対する協調スケジューリング情報を示す。
【０１６１】
第１６または第１７の態様と組み合わせることができる第１８の態様によれば、前記協調スケジューリング情報は、基地局が、前記少なくとも１つおよび／または別のＣＤＭグループ内の、異なる移動端末を協調スケジューリングしていることを示す。
【０１６２】
第１６または第１７の態様と組み合わせることができる第１９の態様によれば、前記協調スケジューリング情報は、基地局が、前記少なくとも１つおよび／または別のＣＤＭグループ内の、少なくともいくつかの異なる移動端末を協調スケジューリングしていることを示す。
【０１６３】
第１６〜第１９の態様と組み合わせることができる第２０の態様によれば、前記協調スケジューリング情報は、前記複数のＣＤＭグループのそれぞれにおける協調スケジューリングの有無を示すバイナリ情報である。
【０１６４】
第１６〜第２０の態様と組み合わせることができる第２１の態様によれば、前記複数のＣＤＭグループには、連続したインデックスが付けられ、かつ前記複数のＣＤＭグループのそれぞれのポートには、連続したインデックスが、前記ポートのインデックスが前記複数のＣＤＭグループのインデックスと共に増加するように、付けられている。
【０１６５】
第１６〜第２１の態様と組み合わせることができる第２２の態様によれば、前記協調スケジューリング情報は、前記複数のＣＤＭグループのうちの、前記少なくとも１つのＣＤＭグループのインデックス以上のインデックスを有するＣＤＭグループのみに対する協調スケジューリングを示す。
【０１６６】
第１６〜第２２の態様と組み合わせることができる第２３の態様によれば、前記参照信号を配置するための前記制御情報に示された前記ポートの最小インデックスよりも小さいインデックスを有するＣＤＭグループのポートに割り当てられたリソースは、本来、基地局によって協調スケジューリングされると知られている。
【０１６７】
第１６〜第２３の態様と組み合わせることができる第２４の態様によれば、前記マッピングは、レイヤとポートのマッピングの前記組み合わせと、前記協調スケジューリング情報と、にインデックスを付けることを意味する。
【０１６８】
第１６〜第２４の態様と組み合わせることができる第２５の態様によれば、前記ポートに割り当てられる前記リソースは、２つのリソース要素コンフィギュレーションを含み、第１のリソース要素コンフィギュレーションは、コム、および参照信号のサイクリックシフトを含み、前記コムは、奇数のサブキャリアインデックスを有するサブキャリア、または偶数のサブキャリアインデックスを有するサブキャリア、のどちらかで構成され、第２のリソース要素コンフィギュレーションは、周波数分割多重および周波数分割直交カバーコード（ＯＣＣ）を含み、当該方法は、動作時に基地局から、前記第１のリソース要素コンフィギュレーションが使用されているかまたは前記第２のリソース要素コンフィギュレーションが使用されているかを示すインジケータを受信するさらなるステップを含む。
【０１６９】
第１６〜第２５の態様と組み合わせることができる第２６の態様によれば、参照信号を搬送するためのそれぞれのリソースをポートに割り当てるコンフィギュレーションを規定しているパラメータは、無線リソース制御（ＲＲＣ）プロトコルを介して受信される。
【０１７０】
第１６〜第２６の態様と組み合わせることができる第２７の態様によれば、レイヤとポートのマッピングの組み合わせのセットの１つを示すとともに前記協調スケジューリング情報を示す前記制御情報は、物理的ダウンリンク制御チャネル（ＰＤＣＣＨ）を介して受信される。
【０１７１】
第１６〜第２７の態様と組み合わせることができる第２８の態様によれば、前記参照信号は、前方復調用参照信号である。
【０１７２】
第１６〜第２８の態様と組み合わせることができる第２９の態様によれば、この方法は、前記示されたレイヤとポートのマッピングの組み合わせを適用して前記データ送信および／または受信を行うさらなるステップを含む。
【０１７３】
第１６〜第２９の態様と組み合わせることができる第３０の態様によれば、この方法は、前記受信された参照信号に対する干渉補償、および／または、前記データ送信および／または受信のためのレートマッチング、を行うさらなるステップを含む。
【０１７４】
第３１の態様によれば、移動通信システムにおいて複数のアンテナを使用して移動端末（２１０）との間でデータをレイヤ内で送信および／または受信するための基地局が提案され、この基地局は、動作時に、参照信号を搬送するための、複数の符号分割多重（ＣＤＭ）グループにグループ分けされている各リソースをポートに割り当てるコンフィギュレーションを定義するパラメータを移動端末へ送信し、データの送信および／または受信のための少なくとも１つのＣＤＭグループのポートに参照信号を配置するために適用される、レイヤとポートのマッピングの組み合わせのセットの１つを示す制御情報を移動端末へ送信する回路（２７０、２８０）を備え、前記制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を追加的に示している。
【０１７５】
第３２の態様によれば、移動通信システムにおいて複数のアンテナを使用して移動端末との間でデータをレイヤ内で送信および／または受信するために基地局によって実行される方法が提案され、この方法は、参照信号を搬送するための、複数の符号分割多重（ＣＤＭ）グループにグループ分けされている各リソースをポートに割り当てるコンフィギュレーションを定義するパラメータを移動端末へ送信するステップと、データの送信および／または受信のための少なくとも１つのＣＤＭグループのポートに参照信号を配置するために適用される、レイヤとポートのマッピングの組み合わせのセットの１つを示す制御情報を移動端末へ送信するステップと、を含み、前記制御情報は、同じデータ送信および／または受信のための複数のＣＤＭグループのうちの前記少なくとも１つのＣＤＭグループおよび／または少なくとも１つの別のＣＤＭグループに対する協調スケジューリング情報を追加的に示している。
【図１−１】
2020536438.tif 000004
【図１−２】
2020536438.tif 000005
【図２】
2020536438.tif 000006
【図３】
2020536438.tif 000007
【図４】
2020536438.tif 000008
【図５】
2020536438.tif 000009
【図６Ａ】
2020536438.tif 000010
【図６Ｂ】
2020536438.tif 000011
【国際調査報告】
2020536438.tif 000012
2020536438.tif 000013
2020536438.tif 000014